(57)【特許請求の範囲】
【請求項１】
鱗茎作物の球状部を支持して前側から後側へ搬送するものとした鱗茎作物処理搬送部と、この処理搬送部で搬送されている鱗茎作物の茎葉部をその元部から切除するように作動する茎葉仕上げ切り装置とを備えた鱗茎作物調製機において、前記鱗茎作物処理搬送部を茎葉仕上げ切り装置に対する高さ変更可能に装設し、前記鱗茎作物処理搬送部の高さは実際に調製処理される前記球状部の代表的大きさに関連して変更されることを特徴とする鱗茎作物調製機。
【請求項２】
鱗茎作物の球状部の肩部を支持して前側から後側へ搬送するものとした鱗茎作物載置搬送部と、この載置搬送部で搬送される鱗茎作物をその搬送終端部にてその球状部を挟持することにより受け取ってさらに後側へ搬送するものとした鱗茎作物処理搬送部と、この処理搬送部で搬送されている鱗茎作物の茎葉部をその元部から切除するように作動する茎葉仕上げ切り装置とを備えた鱗茎作物調製機において、前記鱗茎作物処理搬送部を前記鱗茎作物載置搬送部及び前記茎葉仕上げ切り装置に対する高さ変更可能に装設し、前記鱗茎作物処理搬送部の高さは実際に調製処理される前記球状部の代表的大きさに関連して変更されることを特徴とする鱗茎作物調製機。
【請求項３】
鱗茎作物の球状部を支持して前側から後側へ搬送するものとした鱗茎作物処理搬送部と、この処理搬送部で搬送されている鱗茎作物の球状部に倣いながらその根部を切除するように作動する根部切断装置と、この処理搬送部で搬送されている鱗茎作物の茎葉部をその元部から切除するように作動する茎葉仕上げ切り装置とを備えた鱗茎作物調製機において、前記鱗茎作物処理搬送部を茎葉仕上げ切り装置に対する高さ変更可能に装設すると共に、前記根部切断装置の前記鱗茎作物処理搬送部に対する最低位置を、調製処理される最小球状部の大きさに対して十分、根切断装置が作用する高さとなすほか、この最低位置が前記鱗茎作物処理搬送部の高さと連動して決定されるものとなし、前記鱗茎作物処理搬送部の高さは実際に調製処理される前記球状部の代表的大きさに関連して変更されることを特徴とする鱗茎作物調製機。
【請求項４】
鱗茎作物の球状部を支持して前側から後側へ搬送するものとした鱗茎作物処理搬送部と、この処理搬送部で搬送されている鱗茎作物の茎葉部をその元部から切除するように作動する茎葉仕上げ切り装置とを備えた鱗茎作物調製機において、前記鱗茎作物処理搬送部を茎葉仕上げ切り装置に対する高さ変更可能に装設すると共に、前記鱗茎作物処理搬送部に供給される鱗茎作物の球状部の大きさを検出するための検出手段を設け、この検出手段の検出情報に基づいて前記鱗茎作物処理搬送部の高さが自動的に変更される構成を特徴とする鱗茎作物調製機。
【請求項５】
前記鱗茎作物処理搬送部が左右一対の搬送ベルトを備え、これら搬送ベルトの搬送速度を相違させたことを特徴とする請求項１、２、３又は４記載の鱗茎作物調製機。
【請求項６】
左右の前記搬送ベルトの前後向き対向部の速度差が、それら前後向き対向部で挟持した球状部が茎葉仕上げ切り装置に到達するまでにこの球状部を平面視で凡そ３０度から９０度の範囲内で回動させることを特徴とする請求項５記載の鱗茎作物調製機。
【発明の詳細な説明】
【０００１】
【発明の属する技術分野】
本発明は、玉葱等の鱗茎作物の球状部からその茎葉部などを切除するように作動する鱗茎作物調製機に関する。
【０００２】
【従来の技術】
鱗茎作物の球状部の肩部を支持して前側から後側へ搬送するものとした鱗茎作物載置搬送部と、この載置搬送部で搬送される鱗茎作物をその搬送終端部にてその球状部を挟持することにより受け取ってさらに後側へ搬送するものとした鱗茎作物処理搬送部と、この処理搬送部で搬送されている鱗茎作物の球状部に倣いながらその根部を切除するように作動する根部切断装置と、この処理搬送部で搬送されている鱗茎作物の茎葉部をその元部から切除するように作動する茎葉仕上げ切り装置とを備えた鱗茎作物調製機は存在している。
【０００３】
この際、前記鱗茎作物処理搬送部は前記鱗茎作物載置搬送部や前記茎葉仕上げ切り装置に対し固定的に設けられている。
また前記鱗茎作物処理搬送部は左右一対の搬送ベルトを備えると共にこれら搬送ベルトの内側の前後向き対向部が前記球状部の左右側部を挟持し同一速度で後方変位されるものとなされている。
【０００４】
【発明が解決しようとする課題】
上記した従来の鱗茎作物調製機では、調製処理される球状部の大きさに限界があり、とりわけ大きな球状部やとりわけ小さな球状部の鱗茎作物については完全に調製処理することが難しいのである。
また鱗茎作物処理搬送部が左右一対の搬送ベルトで球状部を挟持するとき、球状部を覆うように垂れ下がった根部の一部が球状部と搬送ベルトとの間に挟み付けられ、これら一部の根部の切除が不可能となることが生じる。
【０００５】
本発明は上記問題点に鑑みてなされたもので、ＳサイズからＬＬサイズまでの任意な大きさの球状部を有する鱗茎作物を一台の機械により調整処理することを可能とした鱗茎作物調製機を提供するほか、鱗茎作物処理搬送部で挟み付けられた根部の切除が行えるものとした鱗茎作物調製機を提供することを目的とする。
【０００６】
【課題を解決するための手段】
上記目的を達成するため、本発明の鱗茎作物調製機では次のようになす。
即ち、請求項１に記載した発明では、鱗茎作物の球状部を支持して前側から後側へ搬送するものとした鱗茎作物処理搬送部と、この処理搬送部で搬送されている鱗茎作物の茎葉部をその元部から切除するように作動する茎葉仕上げ切り装置とを備えた鱗茎作物調製機において、前記鱗茎作物処理搬送部を茎葉仕上げ切り装置に対する高さ変更可能に装設し、前記鱗茎作物処理搬送部の高さは実際に調製処理される前記球状部の代表的大きさに関連して変更される構成となす。
【０００７】
この発明によれば、鱗茎作物を倒立姿勢となして、その茎葉部の元部が茎葉仕上げ切り装置に対して一定高さ位置となるように鱗茎作物処理搬送部に供給する場合において、前記球状部が例えばＳサイズからＬＬサイズまでの任意な大きさのものであっても、前記鱗茎作物処理搬送部は自身の高さを変更されることにより前記任意な大きさの球状部のほぼ真横である左右側部を確実に支持してその鱗茎作物を搬送し、この搬送中、茎葉仕上げ切り装置がその茎葉部の元部を確実に切断するものとなる。
【０００８】
また請求項２に記載した発明では、鱗茎作物の球状部の肩部を支持して前側から後側へ搬送するものとした鱗茎作物載置搬送部と、この載置搬送部で搬送される鱗茎作物をその搬送終端部にてその球状部を挟持することにより受け取ってさらに後側へ搬送するものとした鱗茎作物処理搬送部と、この処理搬送部で搬送されている鱗茎作物の茎葉部をその元部から切除するように作動する茎葉仕上げ切り装置とを備えた鱗茎作物調製機において、前記鱗茎作物処理搬送部を前記鱗茎作物載置搬送部及び前記茎葉仕上げ切り装置に対する高さ変更可能に装設しており、前記鱗茎作物処理搬送部の高さは実際に調製処理される前記球状部の代表的大きさに関連して変更される構成となす。
【０００９】
この発明において、前記鱗茎作物載置搬送部はこれの搬送始端側に倒立姿勢の鱗茎作物を供給され、その球状部の肩部を支持した状態で後側へ搬送する。このように搬送された鱗茎作物の球状部が例えばＳサイズからＬＬサイズまでの任意な大きさのものであっても、前記鱗茎作物処理搬送部は自身の高さを変更されることにより前記任意な大きさの球状部のほぼ真横である左右側部を確実に支持して搬送し、この搬送中、茎葉仕上げ切り装置がその茎葉部の元部を確実に切断するものとなる。
【００１０】
また請求項３に記載した発明では、鱗茎作物の球状部を支持して前側から後側へ搬送するものとした鱗茎作物処理搬送部と、この処理搬送部で搬送されている鱗茎作物の球状部に倣いながらその根部を切除するように作動する根部切断装置と、この処理搬送部で搬送されている鱗茎作物の茎葉部をその元部から切除するように作動する茎葉仕上げ切り装置とを備えた鱗茎作物調製機において、前記鱗茎作物処理搬送部を前記茎葉仕上げ切り装置に対する高さ変更可能に装設すると共に、前記根部切断装置の前記鱗茎作物処理搬送部に対する最低位置を、調製処理される最小球状部の大きさに対して十分、根切断装置が作用する高さとなすほか、この最低位置を前記鱗茎作物処理搬送部の高さに連動するものとなし、前記鱗茎作物処理搬送部の高さは実際に調製処理される前記球状部の代表的大きさに関連して変更される構成となす。
【００１１】
この発明によれば、請求項１記載の発明と同様な作用が得られる上に、次のような作用が得られるのであって、即ち、前記根部切断装置は前記鱗茎作物処理搬送部に対する最低位置を比較的低くなされ、しかもこの最低位置が前記鱗茎作物処理搬送部の高さに連動するため、鱗茎作物の球状部が例えばＳサイズからＬＬサイズまでの任意な大きさのものであっても、前記根部切断装置の切断要部はその球状部に倣いながらその根部を的確に切断するものとなる。
【００１２】
また請求項４に記載した発明では、鱗茎作物の球状部を支持して前側から後側へ搬送するものとした鱗茎作物処理搬送部と、この処理搬送部で搬送されている鱗茎作物の茎葉部をその元部から切除するように作動する茎葉仕上げ切り装置とを備えた鱗茎作物調製機において、前記鱗茎作物処理搬送部を茎葉仕上げ切り装置に対する高さ変更可能に装設すると共に、前記鱗茎作物処理搬送部に供給される鱗茎作物の球状部の大きさを検出するための検出手段を設け、この検出手段の検出情報に基づいて前記鱗茎作物処理搬送部の高さが自動的に変更される構成となす。
【００１３】
これによれば、鱗茎作物を倒立姿勢となして、その茎葉部の元部が茎葉仕上げ切り装置に対して一定高さ位置となるように鱗茎作物処理搬送部に次々と供給する場合において、これらの球状部がその供給中に例えばＳサイズからＬＬサイズまでの任意な大きさのものに変化しても、前記鱗茎作物処理搬送部は自身の高さを自動的に変更されることにより各球状部のほぼ真横である左右側部を確実に支持してその鱗茎作物を搬送し、この搬送中、茎葉仕上げ切り装置が種々にサイズの異なる各球状部の茎葉部の元部を正確に切断するものとなる。
【００１４】
上記した各発明は次のように具体化することができる。
即ち、請求項５に記載したように、前記鱗茎作物処理搬送部が左右一対の搬送ベルトを備え、これら搬送ベルトの搬送速度を相違させた構成となす。
これによれば、前記各搬送ベルトの前後向き対向部の移動速度は適当に相違したものとなり、搬送対象物が左右のベルト間で平面視で回転運動させられ、球状部の芯出しが行われ易くなる。
【００１５】
さらに請求項６に記載したように、左右の前記搬送ベルトの前後向き対向部の速度差が、それら前後向き対向部により挟持された球状部が茎葉仕上げ切り装置に到達するまでにこの球状部を平面視で凡そ３０度から９０度の範囲内で回動させる程度である構成となす。
これによれば、球状部の回動は左右の搬送ベルトとこれらに挟持された球状部との間に挟み付けられた根部を自由状態となして根部切断装置による切断を可能となすのであり、また左右の前記搬送ベルトの速度差の大きさは小さくて済むものとなる。
【００１６】
【発明の実施の形態】
図１〜図１９は本発明の一実施例に係る走行形鱗茎作物調製機に関するもので、図１は全体側面図、図２は最前部を示す平面図、図３は全体正面図、図４は正面視断面図、図５は調製処理機構の側面図、図６は調製処理機構部の平面図、図７は鱗茎作物の根部を切断するための機構を示す右側面図、図８は鱗茎作物の根部を切断するための機構の一部を正面から見た図、図９は鱗茎作物の根部を切断するための機構の一部を示す右側面図、図１０は鱗茎作物の根部を切断するための機構の一部を示す平面図、図１１は調製処理後の鱗茎作物を機外へ送り出すための機構を示す正面視断面図、図１２は駆動系統の動力断続部を示す側面図、図１３は駆動系統を示す側面図、図１４は駆動系統を示す後面図、図１５は鱗茎作物処理搬送部などを示す側面図、図１６は鱗茎作物処理搬送部などの後面図、図１７は鱗茎作物処理搬送部の平面図、図１８は前記鱗茎作物処理搬送部による鱗茎作物球状部の支持状態を示す後方視説明図、図１９は前記鱗茎作物処理搬送部の根起こしブラシ装置の作動状態を示す後方視説明図である。
【００１７】
図１〜図６に示すように、本実施例の走行形鱗茎作物調製機は、走行部１に支持された機台２を備えると共に、機台２上には前側から鱗茎作物供給搬送部３、鱗茎作物調製処理部４及び鱗茎部送出部５を載設するほか、鱗茎部送出部５の後側に操縦部６を形成したものとなされている。
先ず走行部１について説明すると、左右一対の走行クローラ１ｂ、１ａを備えたものとなされており、左右の走行クローラ１ｂ、１ａは巾９００ｍｍ程度の畝ｈ上でも横方へ張り出すことなく走行するようになされている。
【００１８】
次に鱗茎作物供給搬送部３について説明すると、作業者が特定箇所に手供給した鱗茎作物ｗを受け取って鱗茎作物調製処理部４に供給搬送するもので、具体的には次のようになされている。
【００１９】
即ち、前面、上面及び左右側面とからなる前側ケース７を機台２の前部に固定されており、このケース７の前面の上部巾中央箇所と、上面の巾中央箇所の前後方向部位とは鱗茎作物ｗの移動を可能とするように切除された切欠溝ａとなされている。この切欠溝ａの前端部には鱗茎作物供給搬送部３の一部をなす延長供給搬送部３ａが左右一対の前後向きフレーム部材２００、２００を介して支点軸２０１回りの上下揺動操作可能に枢着されている。
【００２０】
上記前後向きフレーム部材２００、２００のそれぞれには上面と側面からなるケース部材２０２、２０２が左右対称に固定されると共に、左右のケース部材２０２、２０２の上面の内方端縁ｔ、ｔは鱗茎作物ｗの処理に関連した特定距離だけ離間させて前後向きの通路ａ１を形成している。また左右の前後向きフレーム部材２００、２００は正面視Ｕ字形に屈曲された棒部材２０３で一体状に連結されている。
【００２１】
延長供給搬送部３ａの前部から鱗茎作物調製処理部４に至る範囲には図５及び図６に示すように前記通路ａ１及び切欠溝ａに関連させて鱗茎作物供給用搬送手段１１が設けてあり、この搬送手段１１はケース部材２０２及び前側ケース７内で前後向きとなされた鱗茎作物載置搬送部１２と、この搬送部１２の前部下方に位置されケース部材２０２内に形成された茎葉保持搬送部１３と、前側ケース７内に位置され前記搬送部１３の後方で前記搬送部１２の後部下側に位置された茎引き搬送部１４とからなる。
【００２２】
鱗茎作物載置搬送部１２は無端状となされ且つ断面を円形となされた左右一対の搬送ベルト１５、１５を備え、これらベルト１５、１５の対向部間が載置搬送経路ｂとなされて前記通路ａ１及び切欠溝ａに沿わせて位置されており、且つ各搬送ベルト１５、１５を、機台２上の特定位置に配置された駆動プーリ１６と、延長供給搬送部３ａの本体フレーム２００に支持された従動プーリ１７とに掛け回すと共に、各搬送ベルト１５、１５の前後方向長さ途中を前側ケース７内の前部に設けた案内プーリ２０４、２０４や後部案内プーリ２０４ａ、２０４ａと、延長供給搬送部３ａのケース部材２０２、２０２内の後部に設けた案内プーリ２０５、２０５とに案内させるほか、これら案内プーリ２０４、２０５間の横方に位置した支点軸２０１、２０１を介してこの軸回りの回転自在とした複数の横向きローラ２０６、２０６に案内させることにより特定軌道上での周回作動可能となされ、且つ延長供給搬送部３ａが支点軸２０１、２０１回りの任意角度に固定された状態の下でも、左右の搬送ベルト１５、１５が鱗茎作物茎葉部ｗ２の元側部分を前端に受け入れて鱗茎作物ｗを後方へ載置搬送し得るようになされている。各中間プーリ２０４、２０５の固定された回転中心軸２０７、２０８には平面視スター形の茎葉掻込ホイール２０９、２０９が固定してあり、これら茎葉掻込ホイール２０９、２０９は各プーリ２０４、２０５と同体回転してこれの前側近傍に位置した鱗茎作物茎葉部ｗ２を後方へ送り込むようになしてある。
【００２３】
茎葉保持搬送部１３は無端状となされた左右一対の搬送ベルト２１０、２１０を備え、これらベルト２１０、２１０の対向部間が保持搬送経路となされて前記搬送経路ｂの直下に位置されると共に、延長供給搬送部３ａに位置した搬送ベルト１５、１５の前後傾斜方向に平行となされており、各搬送ベルト２１０、２１０は背面にスポンジを貼付けされたＶベルトとなされ、前記従動プーリ１７、１７の回転中心軸２１１、２１１に固定された駆動プーリ２１２、２１２及び、前記中間プーリ２０５、２０５の回転中心軸２０８、２０８に固定された従動プーリ２１３、２１３に掛け回されて特定軌道上での周回作動可能となされている。各回転中心軸２１１、２１１には平面視スター形の茎葉掻込ホイール２０９、２０９が固定してあり、鱗茎作物載置搬送部１２の前端に供給された玉葱ｗの茎葉部ｗ２を後方へ掻き込むものとなされている。
【００２４】
茎引き搬送部１４は無端状となされた左右一対の搬送ベルト２０、２０を備え、これらベルト２０、２０の対向部間が挟持搬送経路ｂ１となされて前記支持搬送経路ｂの直下に位置され、後方へ向かうに伴って漸次降下し、鱗茎作物載置搬送部１２との上下距離が漸次拡大するように前後方向へ傾斜されており、且つ各搬送ベルト２０は背面にスポンジを貼付けられたＶベルトとなされ、駆動プーリ２１、従動プーリ２２及び中間プーリ２３０に掛け回されて特定位置での周回作動可能となされている。そして、左右の搬送ベルト２０、２０は鱗茎作物載置搬送部１２の鱗茎作物ｗの搬送中、鱗茎作物茎葉部ｗ２を搬送始端に受け入れた後、斜め下方へ向けて挟持搬送し、この搬送過程で鱗茎作物茎葉部ｗ２を漸次下方へ引張し緊張させて、鱗茎作物球状部ｗ１の肩部が鱗茎作物載置搬送部１２の支持搬送経路ｂの略水平状部をなす左右一対の搬送ベルト１５、１５部分に密接され支持された状態となるように鱗茎作物ｗを引き変位させるようになされている。このように茎葉部ｗ２を引張ることで、各鱗茎作物ｗの高さが揃うと共にその姿勢が垂直状に揃うのである。
【００２５】
前記左右一対の従動プーリ２２、２２の下方には鱗茎作物茎葉部ｗ２の先寄り部ｗ２’を切り離すための荒切り装置２５が設けてあり、この装置２５は、左右配置された前記従動プーリ２２、２２と同体状に固定され且つ一定位置での回転自在となされたそれぞれの回転中心軸２６、２６を延長して形成した各縦向きディスク駆動軸２７の下端に切刃としてのディスク刃２８を固定し、これらディスク刃２８を支持搬送経路ｂの直下位置で重合させ、この重合部が後方へ変位するように回転されると共に、これらディスク刃２８の重合部で鱗茎作物茎葉部ｗ２を切断して、その先寄り部ｗ２’を切除するようになしてある。
【００２６】
荒切り装置２５の下方には第一の茎葉部排出装置としてのベルトコンベア２９が横向きに設けてあり、前記ディスク刃２８、２８で切り離された鱗茎作物茎葉部ｗ２の先寄り部ｗ２’をコンベアベルト３０で受け止めて機台２の右横外方へ放出するものとなされている。
【００２７】
次に鱗茎作物調製処理部４について説明すると、上記鱗茎作物供給搬送部３により供給搬送された鱗茎作物ｗからその茎葉部元側部分と根部を切除する処理を行うもので、具体的には次のようになされている。
【００２８】
即ち、前側ケース７よりも高くなされ鱗茎作物調製処理機構の外周囲を包囲するものとした後側ケース３１を備えており、鱗茎作物調製処理機構として、このケース３１内方に根部切断装置３２、根起こしブラシ装置３３、鱗茎作物処理搬送部３４、茎葉仕上げ切り装置３５及び第二の茎葉部排出装置３６が設けてある。
【００２９】
上記根部切断装置３２は機台２と同体に固定された起立支持枠３７ａに支持させるのであり、このため図７及び図８に示すように、起立支持枠３７ａの左右各側から後向きへ各々上下二本のリンク部材２１４、２１４を延設し、これらのリンク部材２１４、２１４の先端部に方形枠部材２１５を軸着して四節平行リンク機構３９を形成し、また方形枠部材２１５に側面視鈎状の伝動ケース４０をこれの左右端部に固定された係着部材２１６、２１６を介して脱着可能に固定し、この伝動ケース４０から下向きに左右一対の縦向きディスク駆動軸４１を突出させ、この駆動軸４１のそれぞれにディスク刃４２を固定し、これらディスク刃４２、４２を前記搬送経路ｂの延長線上で重合させて、それぞれのディスク刃４２の重合部が後向きへ変位するように回転させ、これらディスク刃４２、４２が鱗茎作物球状部ｗ１からその根部を切除するようになしてある。
【００３０】
上記方形枠部材２１５は左右の起立状側辺部２１５’、２１５’の上下位置にピン部材２１５ａ、２１５ｂを横外方へ突出させて固着すると共に各起立状側辺部２１５’、２１５’の長さ中央位置に横向き雌ネジ部２１５ｃ、２１５ｃを形成されたものとなされている。一方、左右の各係着部材２１６は図９に示すように起立部２１６ａの前縁に２つの鈎状切欠部２１７、２１８と１つの上向き直状切欠部２１９とを形成されている。各係着部材２１６が方形枠部材２１５に係着された状態では１つの鈎状切欠部２１７及び直状切欠部２１９がその対応するピン部材２１５ａ、２１５ｂに嵌合され、且つ、他の１つの鈎状切欠部２１８が図８に示すように横向き雌ネジ部２１５ｃに螺合された状態の手摘み雄ネジ２２０に嵌合される。
【００３１】
そして、左右一対のディスク刃４２、４２の重合部の前側近傍の伝動ケース４０には左右一対からなる側面視鈎状の案内棒部材４３a、４３ａが固設してあり、この案内棒部材４３a、４３ａが鱗茎作物処理搬送部３４により後方へ搬送される鱗茎作物球状部ｗ１の表面を滑動して鱗茎作物球状部ｗ１に対するディスク刃４２、４２の上下位置を制御するようになしてあり、鱗茎作物が鱗茎作物処理搬送部３４により後方へ搬送される過程でディスク刃４２、４２がその根部の元位置を切り離すようになしてある。
【００３２】
さらに起立支持枠３７ａと方形枠部材２１５との間には図示しない引張スプリングが張り渡してあり、方形枠部材２１５に作用する重力をそのスプリング力で打ち消すことにより、小さな上下向き外力で、ディスク刃４２、４２が上方変位するようになしてある。
【００３３】
上記根起こしブラシ装置３３は前記四節平行リンク機構３９の下方に設けられているものであって、特定位置での回転自在に設けられた左右一対の前後向きの片持ちブラシ駆動軸４４、４４の先部に固定された左右一対の根起こしブラシ体４５、４５を対向状に配置し、これらブラシ体４５、４５を前記搬送経路ｂの延長線上で対向させ、この対向部が上向きへ変位するように各ブラシ体４５を回転させ、鱗茎作物処理搬送部３４で搬送されている鱗茎作物ｗの根部に接触してこれを上方へ引き起こすように作用するものとなしてある。この際、左右一対のブラシ駆動軸４４、４４は伝動ケース４０の前面から前方へ延出され、伝動ケース４０の内方でディスク駆動軸４１、４１にベベルギヤ伝動機構２２１、２２１を介して連動連結されている。
【００３４】
図９及び図１０に示すように、係着部材２１６、伝動ケース４０、ディスク駆動軸４１、ディスク刃４２、ブラシ駆動軸４４及び根起こしブラシ体４５は同体状の仕組み品となっているのであり、この仕組み品の保守管理等においては、方形部材２１５に対し仕組み品の全体を脱着するようになされる。
【００３５】
上記仕組み品を方形部材２１５から取り外すときは、伝動ケース４０への後述する図１３に示す動力供給系統の自在継手１１１ｂと前後向き入力軸１１２とを切り離すと共に、左右各側の手摘み雄ネジ２２０、２２０を緩めた状態とした後、仕組み品の全体を上方へ引き上げ、続いて後方へ引くことにより、鈎状切欠部２１７、２１８、２１９をピン部材２１５ａや手摘み雄ネジ２２０やピン部材２１５ｂから外す。一方、仕組み品全体を方形部材２１５に取り付けるときはそれを取り外すときの逆を行うのである。
【００３６】
図５及び図６に示すように、上記鱗茎作物処理搬送部３４は鱗茎作物載置搬送部１２の後部上方から根切断装置３２の下方を経てさらに後方へ及ぶ範囲に渡って左右一対の搬送ベルト４６、４６を前後向きとして対向状に配置し、これらベルト４６、４６の対向部間に適当な隙間を形成したものとなし、この隙間箇所を鱗茎作物球状部ｗ１の挟持搬送経路ｂ３となし前記搬送経路ｂの延長線上に合致させている。この際、各搬送ベルト４６は無端状で他のベルト１５、２０に較べて巾広となされ巾中央の外面を凹み円弧状になされており、駆動プーリ４７、従動プーリ４８及び中間プーリ４９に掛け回され、特定位置で周回作動されるようになされている。そして、左右の搬送ベルト４６、４６が鱗茎作物供給搬送部３の搬送した鱗茎作物球状部ｗ１の左右側部を挟み付けて受け取り、その後、これの受取り時の上下姿勢を確実に保持しつつ略水平方向の後方へ搬送するようになされている。
【００３７】
茎葉仕上げ切り装置３５は、機台２に平面視前広がり状配置に固定された左右一対の水平支持ケース５０、５０の上面から上方へ突出された左右一対のディスク駆動軸５１の上端にディスク刃５２を固定し、これらディスク刃５２を鱗茎作物処理搬送部３４よりも少し低い位置で前記搬送経路ｂの延長線の下方に合致させて重合させると共にこの重合部が後方へ移動するように回転させ、鱗茎作物処理搬送部３４で後方へ搬送される鱗茎作物球状部ｗ１からその茎葉部元側部分を切り離すものとなされている。
【００３８】
第二の茎葉部排出装置３６は茎葉仕上げ切り装置３５の下方に横向きのベルトコンベア５３を設けると共に、ディスク刃５２の下部からコンベアベルト５４の機体前側部分に至る案内板５５を傾斜状に設け、この案内板５５がディスク刃５２で切り離された茎葉部元側部分をコンベアベルト５４上に案内し、この後、コンベアベルト５４がこの茎葉部元側部分を機体フレーム２の右側部外方へ放出するものとなしてある。
【００３９】
次に鱗茎作物送出部５について説明すると、上記鱗茎作物調製処理部４で調製処理された結果物である鱗茎作物球状部ｗ１を機外に送り出すもので、具体的には次のようになされている。
【００４０】
即ち、後側ケース３１の後端に連続して排出シュータ５６を機台２と同体状に設けており、この排出シュータ５６は図４及び図１１に示すように鱗茎作物処理搬送部３４と概略同じ高さの後側に位置させた方形箱状の鱗茎作物受入れ部５７と、この受入れ部５７の底面から左右の二股状に分岐されて正面視ハ字形の下り傾斜状に延長された一対の四角筒部５８、５８とを備えている。そして、前記受入れ部５７の底面には四角形の揺動切換板５９が二股状箇所の中央に位置された前後向き軸６０回りへの揺動自在に装着され、この揺動切換板５９の後縁に突設したピン部材６１を前記受入れ部５７の後面壁に形成された円弧溝ｄを通じて後側外方に突出させ、このピン部材６１の左右移動操作により揺動切換板５９が左右揺動され、この揺動により、左右の四角筒部５８、５８の内部通路の任意な何れかが前記受入れ部５７内の空間と連通されるようになされている。
【００４１】
前記受入れ部５７の前面壁には開口ｅが形成されており、この開口ｅには鱗茎作物処理搬送部３４の搬送終端から解放された鱗茎作物球状部ｗ１を重力作用により鱗茎作物受入れ部５７内に案内するものとした複数の案内杆６２が前後向きの樋状配列となされて設けてある。
【００４２】
この鱗茎作物送出部５では、鱗茎作物処理搬送部３４から解放された鱗茎作物球状部ｗ１が複数の案内杆６２及び開口ｅを経て鱗茎作物受入れ部５７内に落下し、続いて揺動切換板５９の位置していない側の四角筒部５８内を経てこれの下端開口５８ａから外方へ送り出される。
【００４３】
次に操縦部について説明すると、機台２の後方に作業者が追随して歩行しながら機体の走行移動等を操縦するように形成されているのであって、具体的には、機台２後部の左右から後上方へ操縦ハンドル６８を延出させ、これらハンドル６８にエンジン６９のアクセルレバー、操向用のサイドクラッチレバー７０及び走行クラッチレバー７１等が装着されている。
【００４４】
上記エンジン６９は機台２の後端部で左右の操縦ハンドル６８の前部間に設けれており、このエンジン６９の動力が動力伝達機構を介して走行部１、鱗茎作物供給搬送部３及び鱗茎作物調製処理部４に伝達されるようになされている。
【００４５】
上記動力伝達機構について図５、図６、図１０、図１２、図１３及び図１４等を参照して説明すると、次のとおりである。
即ち、エンジン６９前方の機台２後部にミッションケース７２が固定してあり、このミッションケース７２の横向き入力軸７３とエンジン６９の横向き出力軸７４とをベルト伝動機構７５及びベルトテンション機構７６を介して連動連結している。そして、ベルトテンション機構７６は操縦ハンドル６８に装着された走行クラッチレバー７１と連係されると共に、前側ケース７の左右側部のそれぞれに支点軸７７回りの揺動操作可能に設けられた走行クラッチレバー７８とも連係されており、走行クラッチレバー７１、７８の何れかを揺動操作すると、ベルトテンション機構７６の作動によりベルト伝動機構７５の動力伝達が任意に断続されるようになされている。
【００４６】
ミッションケース７２はこれに伝達された動力をこのケース７２内の図示しない左右のサイドクラッチ機構を経てこれに対応した左右の前記走行クローラ１ａ、１ｂに独立的に伝達するようになされており、前記左右のサイドクラッチ機構はそれぞれ、その対応した左右の操縦ハンドル６８のサイドクラッチレバー７０と連係されており、このレバー７０の操作によりその対応する前記走行クローラ１ａ、１ｂへの動力伝達が任意に断続されるようになされている。
【００４７】
一方、茎葉仕上げ切り装置３５の下方となる機台２箇所には横向き伝動ケース７９が固定され、この伝動ケース７９とエンジン６９との間に横向き中間軸８０を設け、横向き中間軸８０とエンジン６９の横向き出力軸７４とをベルト伝動機構８１及びベルトテンション機構８２を介して連動連結し、また横向き中間軸８０と横向き伝動ケース７９の横向き入力軸８３とをベルト伝動機構８４を介して連動連結している。そして、ベルトテンション機構８２は鱗茎作物供給搬送部３の前面側箇所に支点軸８５回りの上下揺動操作可能に装着された作業クラッチレバー８６と連係され、このレバー８６の操作により鱗茎作物供給搬送部３及び鱗茎作物調製処理部４への動力伝達が任意に断続されるようになされている。
【００４８】
上記横向き伝動ケース７９の上面からは左右一対の縦向き出力軸８７、８７が突出されており、これら出力軸８７、８７は横向き伝動ケース７９の横向き入力軸８３にベベルギヤ機構８８、８８を介して連動連結されている。そして、横向き伝動ケース７９の上方には前後方向へ比較的長い左右一対の水平支持ケース５０、５０が配設されて機台２と同体状に固定されており、各水平支持ケース５０、５０の後部に縦向き入力軸８９、８９が設けてあり、この入力軸８９、８９と、前記横向き軸受ケース７９における対応した縦向き出力軸８７、８７とが自在継手９０を介して連動連結されている。
【００４９】
各水平支持ケース５０、５０の縦向き入力軸８９、８９はこれらケース５０、５０の上面からさらに上方へ突出されて茎葉仕上げ切り装置３５のディスク駆動軸５１、５１となされ、これの上端にディスク刃５２、５２を、そしてこのディスク刃５２、５２の下側に茎引き搬送部１４の駆動プーリ２１、２１と、比較的小径のアイドラプーリ９２ａ、９２ａを固定されている。また各水平支持ケース５０、５０の前部上面からは縦向き回転軸９１、９１が突出されており、これら回転軸９１、９１に鱗茎作物載置搬送部１２の駆動プーリ１６、１６と、原動プーリ１６ａ、１６ａとが上下配置に固定されている。さらに各縦向き回転軸９１、９１はベルト伝動機構９２、９２を介して、特定位置での回転自在となされた縦向き駆動軸９３、９３と連動連結されており、各縦向き駆動軸９３、９３の上端部に鱗茎作物処理搬送部３４の駆動プーリ４７、４７が固定されている。
【００５０】
そして、駆動プーリ１６、１６に伝達された動力は断面丸形の搬送ベルト１５、１５を介して従動プーリ１７、１７に伝達され、この従動プーリ１７、１７から適宜な伝動機構を介して茎葉保持搬送部１３の搬送ベルト２１０に伝達されるようになされ、また駆動プーリ２１、２１に伝達された動力は搬送ベルト１４、１４を介して従動プーリ２２、２２及び、この従動プーリ２２、２２と同体状に固定され且つ特定位置で回転するものとなされた縦向き回転中心軸２６、２６に伝達され、この回転中心軸２６、２６から、これを下方へ延長した状態に形成されたディスク駆動軸２７、２７を介してこの駆動軸２７、２７に固定されたディスク刃２８、２８に伝達されるようになされている。
【００５１】
上記横向き伝動ケース７９の右側面からはこの伝動ケース７９の横向き入力軸８３が延長状に突出されており、この入力軸８３の先端の機体前後方向箇所には、入力軸８３先端からベベルギヤ伝動機構９５を介して動力を伝達され特定位置での回転自在となされた比較的長い前後向き回転軸９６が設けてある。そして、この回転軸９６の長さ途中箇所で茎葉仕上げ切り装置３５の下方やや後寄り箇所に第二の茎葉部排出装置３６のコンベアベルト５４の掛け回されたベルト駆動車９７を固定しており、また前後向き回転軸９６の前側やや上方に、ベルト伝動機構１０１を介してこの回転軸９６と連動連結された中間回転軸９８が特定位置での回転自在に設けられ、またベルト伝動機構１０１より前側には第一の茎葉部排出装置２９のコンベアベルト３０を掛け回されたベルト駆動車９９を固定された前後向き回転軸１００が前後向き回転軸９６と一線状に結合され且つ回転可能に支持されている。
【００５２】
上記中間回転軸９８の上方にはこの軸９８からベルト伝動機構１０２を介して動力を伝達される前後向きの上側中間回転軸１０３が特定位置での回転自在に設けてあり、さらに図５に示す起立支持枠３７ａにはこの上側中間回転軸１０３からベルト伝動機構１０４を介して動力を伝達される前後向きの中間伝動軸１０５が特定位置での回転自在に設けてある。
【００５３】
前記中間伝動軸１０５は動力供給系統をなす連結伝動軸１１０及び自在継手１１１ａ、１１１ｂを介して前記方形枠部材２１５に固定された鈎状伝動ケース４０の前後向き入力軸１１２に連動連結されており、さらにこの入力軸１１２は鈎状伝動ケース４０内のベベルギヤ機構１１３を介してこの伝動ケース４０の出力軸である右側のディスク駆動軸４１と連動連結され、さらにこの駆動軸４１がギヤ列機構１１４を介して左側のディスク駆動軸４１と連動連結されており、これにより中間回転軸１０３に伝達された動力が左右一対のディスク刃４２、４２に伝達され、これらディスク刃４２、４２が逆向きに回転してこれらの重合部が前側から後方へ移動するようになされている。この際、後側の自在継手１１１ｂと前後向き入力軸１１２とはピンの抜き差し等で簡易に結合分離し得る構造となされている。
【００５４】
一方、左右のディスク駆動軸４１、４１は図１０に示すベベルギヤ機構２２１、２２１を介して左右一対のブラシ駆動軸４４、４４と連動連結されており、左右のディスク駆動軸４１、４１の回転によりブラシ駆動軸４４、４４に固定された一対の根起こしブラシ体４５、４５が特定の逆向きに回転し、ブラシ体４５、４５の対向部が下側から上方へ移動するようになされている。
【００５５】
次に本発明の特徴構成について図１５、図１６及び図１７等を参照して説明する。
前記鱗茎作物処理搬送部３４はその高さを変更可能となすため、次のようになされている。
即ち、左右の搬送ベルト４６、４６のそれぞれの外側箇所に配置されて機台２と同体状となされている水平支持枠３７ｂ、３７ｂに、門形の支持棒部材２２２、２２２を固着し、各支持棒部材２２２の前後で対向した縦向き辺部ｃ、ｃに一対からなる方形状の支持板２２３、２２３を固着しており、各支持板２２３には雌ネジ部ｄが形成されている。前記一対の支持板２２３、２２３に一つの搬送フレーム板２２４、２２４の縦面部ｅ１がボルト固定されるようになされており、縦面部ｅ１の前後箇所のそれぞれに下側のボルト孔ｄ１及び上側のボルト孔ｄ２が形成されている。図中には左右の搬送フレーム板２２４、２２４が下側の２つのボルト孔ｄ１、ｄ１を介して固定された状態を示している。即ち、左右の搬送ベルト４６、４６は２段階調節の上側位置に固定された状態とある。
【００５６】
各搬送フレーム板２２４の水平面部ｅ２は前後に張出部ｅ２１、ｅ２２を形成されており、前側の張出部ｅ２１は中間鈎状片２２５を介して、前記水平支持枠３７ｂと同体状に固定された前支持片２２６にボルト結合され、後側の張出部ｅ２２は付加部材２２７を固着され、この付加部材２２７が前記水平支持枠３７ｂと同体状に固定された比較的長い後支持片２２８にボルト固定されている。この際、中間鈎状片２２５と前支持片２２６との結合高さ、及び、付加部材２２７と後支持片２２８との結合高さは上下２つのボルト孔ｄ１、ｄ２間の距離と同一距離だけ変更可能となされる。
【００５７】
各搬送フレーム板２２４の水平面部ｅ２の後部には軸受部２２９を設けて、この軸受部２２９に前記縦向き駆動軸９３を下方への垂下状且つ回転自在に保持させると共に、この駆動軸９３の上部に駆動プーリ４７を、そして下端部に入力プーリ９２ｂを固設している。一方、この水平面部ｅ２の前部には支持軸４８ａを固設して、この支持軸４８ａの下端部に従動プーリ４８を回転自在に装着している。
【００５８】
前記水平面部ｅ２の特定位置には別の３つの支持軸ｇ１、ｇ２、ｇ３を設けると共に、前記支持軸４８ａ、ｇ１、ｇ２、ｇ３にアーム部材ｍ１、ｍ２、ｍ３、ｍ４を揺動変位自在に装着し、各アーム部材ｍ１、ｍ２、ｍ３、ｍ４の先端部に中間ローラ４９、４９ａを回転自在に軸着する一方、前記各アーム部材ｍ１、ｍ２、ｍ３、ｍ４の他端に前記水平面部ｅ２に形成された透孔２３１や切欠２３２を通じて起立されたピン部材２３３、２３４を固設し、各ピン部材２３３、２３４と、水平面部ｅ２上面に設けられた係止板２３５や係止棒２３６との間に引張スプリング２３７、２３８を係着している。
【００５９】
そして、各搬送フレーム板２２４の前記駆動プーリ４７、従動プーリ４８及び４つの中間プーリ４９、４９ａにその対応する前記搬送ベルト４６が掛け回されており、各中間プーリ４９、４９ａはこれらに掛け回された搬送ベルト４６をその外方側へ押圧すると共にこの搬送ベルト４６が各引張スプリング２３７、２３８の弾力に抗してその内方側へ変位するのを許容するものとなされている。この際、各引張スプリング２３７、２３８の弾力は、その対応する搬送ベルト４６の自由状態の下で、このベルト４６に係る３つの中間プーリ４９がその変位範囲の最外位置に位置し、且つ１つの中間プーリ４９ａがその変位範囲の途中に位置した状態となるように定められている。
【００６０】
また各縦向き駆動軸９３のうち前記入力プーリ９２ｂよりも上側となる部分は軸受部材２３９を介して回転自在に支持されており、この軸受部材２３９は支持片２２８の高さ途中に鈎状結合片２４０を介してボルト固定されている。この際、この鈎状結合片２４０と支持片２２８との結合高さは前記した上下のボルト孔ｄ１、ｄ２の距離に対応して変更可能となされる。
【００６１】
前記各縦向き駆動軸９３に動力を伝達するための前記ベルト伝動機構９２は次のようになされるのであって、即ち、前記入力プーリ９２ｂ、前記アイドラプーリ９２ａ及び前記原動プーリ１６ａに無端状の伝動ベルト９２ｃを掛け回すと共に、入力プーリ９２ｂに同一径となされた上下２つのベルト溝ｊ１、ｊ２を形成されたものとなされている。このベルト伝動機構９２において、各搬送フレーム板２２４が図１５などに示すように下側のボルト孔ｂ１を介して固定されるときは、その伝動ベルト９２ｃは図１５に示すように下側のベルト溝ｊ１に掛け回される。
【００６２】
この際、左右の各入力プーリ９２ｂはベルト溝ｊ１、ｊ２の直径を適当に相違させており、左右の搬送ベルト４６、４６に対応した左右の伝動ベルト９２ｃ、９２ｃの移動速度が同一である状態の下で、左右の搬送ベルト４６、４６の移動速度を後述から明らかとなる一定大きさだけ異なるものとなしてある。なお、２４１は各伝動ベルト９２ｃを緊張させるためのテンションローラである。
【００６３】
上記構成において、左右の搬送フレーム板２２４、２２４が図１５中に示すように下側のボルト孔ｄ１を介して高位置に固定された状態の鱗茎作物処理搬送部３４は最大ＬＬサイズ（水平直径１４０ｍｍで高さ１１８ｍｍ程度のもの）までの鱗茎作物に適合する状態であり、一方、左右の搬送フレーム板２２４、２２４が上側のボルト孔ｂ２を介して低位置に固定された状態の鱗茎作物処理搬送部３４は最小でＳサイズ（水平直径５５ｍｍで高さ５５ｍｍ程度のもの）までの鱗茎作物に適合する状態である。
【００６４】
鱗茎作物処理搬送部３４を最大でＬＬサイズに適合した図示例の高位置から最小でＳサイズに適合する低位置に変更するときは、鈎状結合片２２５と支持片２２６との結合、付加部材２２７と支持片２２８との結合、及び、鈎状結合片２４０のボルト固定を弛緩状態となすと共に、伝動ベルト９２を入力プーリ９２ｂから外し、さらに各搬送フレーム板２２４、２２４の下側のボルト孔ｂ１からボルトを抜き出して、各搬送フレーム板２２４、２２４を降下させ、この後、上側のボルト孔ｄ２にボルトを挿入し雌ネジ部ｄに螺入して締結すると共に、鈎状結合片２２５と支持片２２６との結合、付加部材２２７と支持片２２８との結合、及び、鈎状結合片２４０のボルト固定を新しい位置に対応させるように組み立てると共に、伝動ベルト９２をアイドラプーリ９２ａ、原動プーリ１６ａ及び、入力プーリ９２ｂの上側のベルト溝ｊ２に掛け回すようにする。
【００６５】
前記根部切断装置３２のディスク刃４２、４２はその自由状態での最下位置を従来よりも低くなすと共に、鱗茎作物処理搬送部３４の高さ変位に連動して上下動するものとなすのであって、具体的には、左右の搬送ベルト４６、４６の上下巾寸法を従来よりも６ｍｍ程度小さい寸法である３４ｍｍ程度となし、また自重で降下変位しようとする根部切断装置３２の伝動ケース４０或いはこれと同体状部位を、左右の搬送フレーム板２２４、２２４の上面に設けた図示しない受け部材で受けるようになされる。
【００６６】
次に上記した鱗茎作物調製機を使用して、畝栽培された鱗茎作物の代表例である玉葱を収穫する際の望ましい使用例及び作用などについて説明する。
多数の畝ｈを並列状に形成し、各畝ｈに玉葱ｗを複数条に植え付けた状態において、公知の玉葱収穫機を使用する等して、各畝ｈの玉葱ｗを全て引き抜いてその上面に一日乃至二日程度放置して乾燥させる。これにより、球状部ｗ１の表面が幾分硬くなって傷つき難い状態となる。
【００６７】
この後、本発明に係る鱗茎作物調製機を作業者が任意に選択した処理対象となる任意な一つの畝ｈ上に進入させるのであり、この際、作業者は機体の後方から操縦ハンドル６８、６８を持って機体を操縦する。
【００６８】
機体の進入した畝（処理対象畝）ｈ上では機体を畝ｈに沿った正しい向き及び位置に設定する。そして、延長供給搬送部３ａは支点軸２０１回りの適当な傾斜状態に固定するか、図１に示すように水平状態に固定するのであり、水平状態に固定する場合は茎葉保持搬送部１３の搬送ベルト２１０、２１０はプーリ２１２、２１３から取り外した状態となしてもよい。この際、搬送ベルト２１０、２１０を取り外しても、延長供給搬送部３ａが水平であれば、玉葱ｗは上側の鱗茎作物載置搬送部１２だけで搬送されようになり、何ら支障は生じない。
【００６９】
一方では、実際にこれから処理しようとする玉葱球状部ｗ１の代表的大きさの一例としての平均大きさが中間サイズ（例えば、直径凡そ９５ｍｍ程度のもの）より大きいかどうか作業者が判断するのであり、この際、前記平均大きさの方が中間サイズより大きいと判断したときは、鱗茎作物処理搬送部３４の左右の搬送ベルト４６、４６を図１５などに示すように下側のボルト孔ｄ１に関連した高位置（即ち、ＬＬサイズまでの玉葱球状部ｗ１が処理可能な高さ）に固定し、逆に前記平均大きさの方が中間サイズより小さいと判断したときは、左右の搬送ベルト４６、４６を上側のボルト孔ｄ２に関連した低位置（即ち、Ｓサイズまでの玉葱球状部ｗ１が処理可能な高さ）に固定する。
【００７０】
この後、エンジン６９を作動状態となし、作業クラッチレバー８６を入り操作するのであり、これにより機体は停止したままで、鱗茎作物供給搬送部３及び鱗茎作物調製処理部４が作動状態となる。
【００７１】
この状態の下で、処理対象畝ｈにおける機体前部周辺に散在した玉葱ｗを延長供給搬送部３ａに供給するのである。いま、延長供給搬送部３ａが図５に示すような傾斜状態に固定されているとすると、作業者は玉葱ｗの一個ずつを倒立姿勢で鱗茎作物供給搬送部１１の搬送始端箇所ｐ１に順次に手供給する。一方、延長供給搬送部３ａが図１に示すような水平状態に固定されているとすると、作業者は畝ｈ上の玉葱ｗを拾ってコンテナ内に集め、このように集めた玉葱ｗの一個ずつを倒立姿勢で延長供給搬送部３ａの長さ範囲内の搬送ベルト１５、１５部分の対向部間に上方又は前方から差し込むようにして順次に手供給する。この際、茎葉保持搬送部１３の搬送ベルト２１０、２１０を取り外しておけば、延長供給搬送部３ａの長さ範囲内のどこへでも供給できるので都合がよい。
【００７２】
このように供給された玉葱ｗは延長供給搬送部３ａでは鱗茎作物載置搬送部１２及び茎葉保持搬送部１３により、又は茎葉保持搬送部１３の搬送ベルト２１０、２１０を取り外したときは鱗茎作物載置搬送部１２のみにより、前側ケース７内の鱗茎作物供給搬送手段１１まで搬送され、次に鱗茎作物載置搬送部１２及び茎引き搬送部１４により鱗茎作物調製処理部４まで水平後方へ供給搬送される。この供給搬送において鱗茎作物載置搬送部１２は玉葱茎葉部ｗ２を挟圧することなく玉葱球状部ｗ１を下方から支持して後方へ搬送するのであり、この搬送の途中から茎引き搬送部１４がその玉葱茎葉部ｗ２を受け入れて順次下方へ引張しつつ後方へ搬送する。
【００７３】
このような鱗茎作物載置搬送部１２による玉葱ｗの搬送過程で、茎葉荒切り装置２５の左右一対のディスク刃２８が茎引き搬送部１４に達した玉葱茎葉部ｗ２の凡そ５ｃｍ〜１５ｃｍ程度の元側部分を残して先寄り部ｗ２’を切除する。この際、玉葱ｗの茎葉部ｗ２は自重により垂れ下がった状態となってディスク刃２８により先寄り部ｗ２’は玉葱ｗから円滑且つ正確に切り離される。この切り離された先寄り部ｗ２’は真下へ落下して第一の茎葉部排出装置２９のコンベアベルト３０に受け止められ、続いて機台２の右側外方へ搬送されて処理対象畝ｈ上やこの畝ｈの側部に接した溝内に放出される。
【００７４】
鱗茎作物供給搬送手段１１により後方へ搬送された玉葱球状部ｗ１は搬送ベルト１５、１５上に整姿された状態で鱗茎作物処理搬送部３４に達するのであり、鱗茎作物処理搬送部３４では搬送ベルト４６、４６がここに達した玉葱球状部ｗ１の左右側部を強固に挟み付けてその姿勢変更が生じないように後方へ搬送する。
【００７５】
この搬送中、根部引き起こしブラシ装置３３が玉葱根部を上方へ引き上げて上向き起立状に整えるのであり、この後、玉葱球状部ｗ１が根部切断装置３２のディスク刃４２、４２に近づいたとき案内棒部材４３ａ、４３ａがその表面に接して玉葱球状部ｗ１の搬送に伴ってその表面上を滑動することにより一対のディスク刃４２、４２を順次に上方へ誘導し、玉葱球状部ｗ１に対するその高さを最適状態に制御する。このように制御されたディスク刃４２、４２は鱗茎作物処理搬送部３４により後方へ搬送される玉葱球状部ｗ１を傷つけることなくその根部元を順次に切除するのであり、こうして玉葱球状部ｗ１から切り離された玉葱根部は下方へ落下する。
【００７６】
玉葱球状部ｗ１がディスク刃４２、４２の直下を過ぎるときには、一対のディスク刃４２、４２が後上がり傾斜（約１０度）した状態となり、玉葱球状部ｗ１がディスク刃４２、４２で傷付けられることは防止される。そして、この玉葱球状部ｗ１がディスク刃４２、４２の直下を過ぎた後は、ディスク刃４２、４２はこの玉葱球状部ｗ１と関係しつつ漸次降下し最低位置に達し、次の玉葱球状部ｗ１の処理に備える。
【００７７】
一方では鱗茎作物処理搬送部３４及び茎引き搬送部１４により高さ及び姿勢を一定状態となされて搬送される玉葱茎葉部ｗ２が根部切断装置３２の下方に存在する茎葉仕上げ切り装置３５のディスク刃５２、５２に達するのであり、これらディスク刃５２、５２は玉搬送ベルト４６、４６による玉葱球状部ｗ１の搬送中にその茎葉部元側部分を玉葱球状部ｗ１から切り離す。ここで切り離された玉葱茎葉部ｗ２の元側部分は下方に落下して案内板５５に案内されつつ第二の茎葉部排出装置３６のコンベアベルト５４に受け止められる。
【００７８】
コンベアベルト５４上に位置するものとなった玉葱茎葉部ｗ２の元側部分や玉葱根部は機台２の右横外方へ搬送され機台２の右側部から処理対象畝ｈ上或いはこの畝ｈの側部に接した溝内に放出されるのであり、また玉葱ｗから玉葱根部や玉葱茎葉部ｗ２を除去した後に得られる調製処理結果物である玉葱球状部ｗ１は鱗茎作物処理搬送部３４によりさらに少し後方へ搬送された後、鱗茎作物処理搬送部３４から解放される。この解放された玉葱球状部ｗ１は複数の案内棒部材６２上に落下して排出シュータ５６の鱗茎作物受入れ部５７内に転げ落ち、この後、揺動切換板５９の存在しない側の四角筒部材５８を経るように、即ち図４及び図１１に示すように揺動切換板５９が右側に位置されているときは左側の四角筒部材５８を経るように転げ落ちその下端開口５８ａから落下する。
【００７９】
次に鱗茎作物処理搬送部３４周辺の作用をさらに詳細に説明する。
左右の搬送ベルト４６、４６をＬＬサイズまでの玉葱球状部ｗ１に適合した高位置となしたときは、これら搬送ベルト４６、４６はこれらをＳサイズまでの玉葱球状部ｗ１に適応した低位置となしたときに較べて適当長だけ高くなる。従って、左右の搬送ベルト４６、４６は鱗茎作物載置搬送部１２や茎葉仕上げ切り装置３５に対して比較的高く保持された状態となる。
【００８０】
このように鱗茎作物処理搬送部３４が高位置状態となされているときに、中間サイズよりも大きい玉葱球状部ｗ１が鱗茎作物載置搬送部１２に搬送されてその搬送終端に達すると、左右の搬送ベルト４６、４６はこの玉葱球状部ｗ１の左右側部を挟持する。ここで、中間サイズよりも大きい玉葱球状部ｗ１といってもこの中には種々のサイズのものが存在するのであり、従ってその挟持状態をさらに詳細に見ると、図１８Ａに示すように、左右の搬送ベルト４６、４６は、中間サイズよりも大きい玉葱球状部ｗ１が比較的小さいときにはこの球状部ｗ１の最大外径部位を含む比較的高い範囲ｎ１を挟持し、またこの玉葱球状部ｗ１が中間的な大きさであるときはこの球状部ｗ１の最大外径部位の真横範囲ｎ２を挟持し、さらにこの玉葱球状部ｗ１が比較的大きいときはこの球状部ｗ１の最大外径部位を含む比較的低い範囲ｎ３を挟持する。このように搬送ベルト４６、４６による玉葱球状部ｗ１の挟持範囲が上下方向へ種々変化しても、搬送ベルト４６、４６の挟持面部は比較的柔らかいため、玉葱球状部ｗ１の表面に倣うように変形して面接触し、それを強固に支持するものとなる。
【００８１】
一方、左右の搬送ベルト４６、４６をＳサイズの玉葱球状部ｗ１に適合した低位置となしたときは、これら搬送ベルト４６、４６はこれらをＬＬサイズの玉葱球状部ｗ１に適応した高位置となしたときに較べて適当長さだけ低くなる。従って、左右の搬送ベルト４６、４６は鱗茎作物載置搬送部１２や茎葉仕上げ切り装置３５に対して比較的低く保持された状態となる。
【００８２】
このように鱗茎作物処理搬送部３４が低位置状態となされているときに、中間サイズよりも小さい玉葱球状部ｗ１が鱗茎作物載置搬送部１２に搬送されてその搬送終端に達すると、左右の搬送ベルト４６、４６はこの玉葱球状部ｗ１の左右側部を挟持する。ここで、中間サイズよりも小さい玉葱球状部ｗ１といってもこの中には種々のサイズのものが存在するのであり、従ってその挟持状態をさらに詳細に見ると、図１８Ｂに示すように、左右の搬送ベルト４６、４６は、中間サイズよりも小さい玉葱球状部ｗ１が比較的小さいときはこの球状部ｗ１の最大外径部位を含む比較的高い範囲ｎ４を挟持し、またこの玉葱球状部ｗ１が中間的な大きさであるときはこの球状部ｗ１の最大外径部位の真横範囲ｎ５を挟持し、さらにこの玉葱球状部ｗ１が比較的大きいときはこの球状部ｗ１の最大外径部位を含む比較的低い範囲ｎ６を挟持する。このように搬送ベルト４６、４６による玉葱球状部ｗ１の挟持範囲が上下方向へ種々変化しても、搬送ベルト４６、４６の挟持面部は先と同様に、玉葱球状部ｗ１の表面に倣うように変形して面接触し、それを強固に支持するものとなる。
【００８３】
一方、根部切断装置３２の切断要部であるディスク刃４２、４２の自由状態での最低位置は鱗茎作物処理搬送部３４の搬送ベルト４６、４６の高さ変更に連動して上下変位するものとなる伝動ケース４０と同体状に上下変位することから、前記最低位置は中間サイズよりも小さい玉葱球状部ｗ１に対しては適当に低くなり、また中間サイズよりも大きい玉葱球状部ｗ１に対しては適当に高くなる。これにより、案内棒部材４３ａ、４３ａは玉葱球状部ｗ１の大小の変化にも拘わらずこれに適切に接触してディスク刃４２、４２の高さを支障なく制御するものとなる。
加えて、左右の搬送ベルト４６、４６の上下巾が従来よりも小さいため、これら各ベルト４６の巾中央から前記最低位置までの高さが従来よりも小さくなり、これにより、根部切断装置３２は特に小さい玉葱球状部（例えば直径５５ｍｍ程度のもの）ｗ１の根部切断に対処し得るものとなる。
【００８４】
また鱗茎作物処理搬送部３４の左右の搬送ベルト４６、４６は同一速度で回転される原動プーリ１６ａにより駆動されるが、左右の入力プーリ９２ｂ、９２ｂの有効径が異なることから、これら左右のベルト４６、４６の前後向き対向部ｐ、ｐの移動速度は異なったものとなる。この移動速度の差異に基づいて、左右のベルト４６、４６で挟持搬送される玉葱球状部ｗ１は根起こしブラシ装置３３の根起こし作用付与範囲内において平面視で凡そ３０度から９０度程度回動変位される。従って、たとえ、図１９に示すように左右の搬送ベルト４６、４６による玉葱球状部ｗ１の挟持開始時にその球状部ｗ１の根部ｗ３の一部がその球状部ｗ１の側部に垂れ下がった状態となって玉葱球状部ｗ１と各搬送ベルト４６との間に一時的に挟み付けられることが生じても、この挟み付けられた根部ｗ３は玉葱球状部ｗ１の回動変位により玉葱球状部ｗ１と各搬送ベルト４６との間から解放されて自由状態となり、根起こしブラシ体４５、４５による根起こし作用により上方へ引き起こされ、根部切断装置３２のディスク刃４２、４２で切断されるものとなる。
【００８５】
上記実施例は次のように変形できる。
即ち、前記鱗茎作物処理搬送部３４に供給される鱗茎作物ｗの球状部ｗ１の大きさを検出するための検出手段を設けると共に、この検出手段の検出情報に基づいて前記鱗茎作物処理搬送部３４の高さを自動的に変更させるための動力高さ変更機構を装設する。
この際、上記検出手段は鱗茎作物載置搬送部３４により搬送される鱗茎作物ｗの移動軌跡の途中に設けるのがよい。
【００８６】
【発明の効果】
上記のように構成した本発明によれば、次のような効果が得られるのである。即ち、請求項１に記載したものによれば、ＳサイズからＬＬサイズまでの任意な大きさの球状部を有する鱗茎作物から茎葉部を切除する調製処理を一台の機械に行わせることができる。
【００８７】
請求項２に記載したものによれば、鱗茎作物の球状部を鱗茎作物載置搬送部の搬送始端に載せるという簡易な操作により、ＳサイズからＬＬサイズまでの任意な大きさの球状部を有する鱗茎作物からその茎葉部を切除する調製処理を正確に行わせることができる。
【００８８】
請求項３に記載したものによれば、請求項１記載の発明と同様な効果が得られるほか、特に小さなサイズの球状部を有する鱗茎作物の根部の切除処理を的確に行わせることができる。
【００８９】
請求項４に記載したものによれば、鱗茎作物の球状部がＳサイズからＬＬサイズまでの任意な大きさのものであっても、鱗茎作物処理搬送部に、その球状部のほぼ真横である左右側部を確実に支持させて、その球状部から茎葉部を正確に切除させることができる。
【００９０】
請求項５に記載したものによれば、たとえ左右の搬送ベルトと球状部との間に球状部の根部の一部が挟み付けられても、球状部を搬送ベルトで損傷させることなく、この根部の一部を支障なく切除させることができる。
【００９１】
請求項６に記載したものによれば、左右の搬送ベルトと球状部との間に挟み付けられた球状部の根部の一部が確実に解放されるものとなり、鱗茎作物の根部を切り残すことなく切除する処理を手間少なく能率的に行わせることができる。
【図面の簡単な説明】
【図１】本発明の一実施例に係る走行形鱗茎作物調製機の全体側面図である。
【図２】前記調製機の最前部を示す平面図である。
【図３】前記調製機の全体正面図である。
【図４】前記調製機の正面視断面図である。
【図５】前記調製機の調製処理機構部の側面図である。
【図６】前記調製機の調製処理機構の平面図である。
【図７】前記調製機の根部切断装置を示す右側面図である。
【図８】前記根部切断装置の一部を正面から見た図である。
【図９】前記根部切断装置の一部を示す右側面図である。
【図１０】前記根部切断装置の一部を示す平面図である。
【図１１】前記調製機の鱗茎部送出部を示す正面視断面図である。
【図１２】前記調製機の駆動系統の動力断続部を示す側面図である。
【図１３】前記調製機の駆動系統を示す側面図である。
【図１４】前記調製機の駆動系統を示す後面図である。
【図１５】前記調製機の鱗茎作物処理搬送部などを示す側面図である。
【図１６】前記鱗茎作物処理搬送部などの後面図である。
【図１７】前記鱗茎作物処理搬送部の平面図である。
【図１８】前記鱗茎作物処理搬送部による鱗茎作物球状部の支持状態を示す後方視説明図で、ＡはＬＬサイズの球状部の場合で、ＢはＳサイズの球状部の場合である。
【図１９】前記鱗茎作物処理搬送部の根起こしブラシ装置の根起こし作動状態を示す後方視説明図である。
【符号の説明】
１２  鱗茎作物載置搬送部
３２  根部切断装置
３４  鱗茎作物処理搬送部
３５  茎葉仕上げ切り装置
４６  搬送ベルト
４７  駆動プーリ
９２ｂ  入力プーリ
９３  縦向き駆動軸（回転中心軸）
ｐ  前後向き対向部
ｗ  鱗茎作物（玉葱）
ｗ１  球状部
ｗ２  茎葉部
ｗ３  根部
【図１】
0003792150.tif 000002
【図２】
0003792150.tif 000003
【図３】
0003792150.tif 000004
【図４】
0003792150.tif 000005
【図５】
0003792150.tif 000006
【図６】
0003792150.tif 000007
【図７】
0003792150.tif 000008
【図８】
0003792150.tif 000009
【図９】
0003792150.tif 000010
【図１０】
0003792150.tif 000011
【図１１】
0003792150.tif 000012
【図１２】
0003792150.tif 000013
【図１３】
0003792150.tif 000014
【図１４】
0003792150.tif 000015
【図１５】
0003792150.tif 000016
【図１６】
0003792150.tif 000017
【図１７】
0003792150.tif 000018
【図１８】
0003792150.tif 000019
【図１９】
0003792150.tif 000020